(57)【要約】【課題】  温風又は冷風により、板状蓄熱体が効率よく均一に加熱又は冷却される送風蓄熱システムを提供することにある。【解決手段】  風又は冷風を発生させ送出する送風手段と、板状蓄熱体の内部又は下方に配設された複数の通気管と、通気管の一端付近に送風手段からの温風又は冷風を誘導する吸気管と、通気管の他端付近から温風又は冷風を排出する排気管とを備え、通気管より細径で、一端が通気管の他端付近に挿嵌されると共に他端が排気管に連通された連通管を有し、連通管の通気管に挿嵌された側の端部が封鎖されると共に、連通管の通気管に挿嵌された外周面に連通穴が穿設され、通気管の一端付近から流れ込んだ温風又は冷風が、通気管の他端付近から連通管の連通穴を介して連通管の他端から排気管に流れることを特徴とする。【選択図】図１
2011237051.tif 000002
【特許請求の範囲】
【請求項１】
コンクリート製スラブやアスファルト舗装面等の板状蓄熱体を、温風又は冷風により加熱又は冷却する送風蓄熱システムにおいて、
温風又は冷風を発生させ送出する送風手段と、
該板状蓄熱体の内部又は下方に配設された複数の通気管と、
該通気管の一端付近に該送風手段からの温風又は冷風を誘導する吸気管と、
該通気管の他端付近から温風又は冷風を排出する排気管とを備え、
該通気管より細径で、一端が該通気管の他端付近に挿嵌されると共に他端が該排気管に連通された連通管を有し、
該連通管の該通気管に挿嵌された側の端部が封鎖されると共に、該連通管の該通気管に挿嵌された外周面に連通穴が穿設され、
該通気管の一端付近から流れ込んだ温風又は冷風が、該通気管の他端付近から該連通管の連通穴を介して該連通管の他端から該排気管に流れることを特徴とする送風蓄熱システム。
【請求項２】
前記連通管が、前記通気管の他端端部に挿嵌されていることを特徴とする請求項１記載の送風蓄熱システム。
【請求項３】
前記連通管が、前記通気管の他端付近の外周から挿嵌されていることを特徴とする請求項１記載の送風蓄熱システム。
【請求項４】
前記複数の通気管が、互いに略平行に配設されると共に、各通気管に前記吸気管から温風又は冷風が流れ込むことを特徴とする請求項１〜請求項３のいずれかに記載の送風蓄熱システム。
【請求項５】
前記通気管が、前記板状蓄熱体の内部又は下方の中空部により形成されていることを特徴とする請求項１〜請求項４のいずれかに記載の送風蓄熱システム。
【発明の詳細な説明】
【技術分野】
【０００１】
本発明は、コンクリート製スラブやアスファルト舗装面等の板状蓄熱体を、温風又は冷風により加熱又は冷却する送風蓄熱システムに関する。
【背景技術】
【０００２】
従来より、建築物のコンクリート製スラブ製の床面や、路面のアスファルト舗装面等を、温風や冷風により加熱又は冷却し、冷暖房を行ったり融雪を行ったりする送風蓄熱システムがある。この送風蓄熱システムは、コンクリート製スラブやアスファルト舗装面等の板状蓄熱体の中又は下に温風又は冷風を循環させ、板状蓄熱体を所定の温度にするものである。
【０００３】
この送風蓄熱システムとしては、例えば、特許文献１に示されるようなものがある。特許文献１のコンクリート床暖房装置では、枠板内に鉄筋を配設し、そこに一筋の中空管を、床の全域にくまなく行き渡るように蛇行して張り巡らさせて配設し、その後、コンクリートを打設してコンクリート床を完成させている。このコンクリート床の中に配設された一筋の中空管に、温風送風機からの温風を流し込むことにより、コンクリート床を暖めるようにしている。
【０００４】
一方、特許文献２に示されるような床や天井の構造に用いるボイドスラブといった住宅工法を活用し、ボイドスラブの中空部を空調用として用いて、この中空部に温風を流し込むことも行われている。特許文献２では、ボイドスラブの各中空部を、空調、換気ダクトとして利用し、ボイドスラブ下面に天井材を直接固定して天井面として、空調、換気ダクトからボイドスラブの天井面もしくは上階床面に向けて貫通孔を形成して、貫通孔を空気の吹出口もしくは吸込口とすることが示されている。
【先行技術文献】
【特許文献】
【０００５】
【特許文献１】特開２００２−２５７３７１号公報
【特許文献２】特開平０６−３１３３４２号公報
【発明の概要】
【発明が解決しようとする課題】
【０００６】
しかしながら、従来のコンクリート床暖房装置等の送風蓄熱システムでは、温風が単に中空管（中空部）内を通過するだけで、温風が持つ熱エネルギーを管を介して板状蓄熱体に効率よく伝達させることが困難である。また、中空管に十分に熱エネルギーが伝わらないことから、中空管周辺の一部にしか熱が行き渡らず、板状蓄熱体の温度を全体として均一にすることが困難である。その結果として、絶えず温風を中空管に温風を流し続ける必要があり、温風送風機の効率的な運転もできない。
【０００７】
本発明は、このような事情に鑑みてなされたもので、温風又は冷風により、板状蓄熱体が効率よく均一に加熱又は冷却される送風蓄熱システムを提供することにある。
【課題を解決するための手段】
【０００８】
請求項１記載の送風蓄熱システムは、風又は冷風を発生させ送出する送風手段と、板状蓄熱体の内部又は下方に配設された複数の通気管と、通気管の一端付近に送風手段からの温風又は冷風を誘導する吸気管と、通気管の他端付近から温風又は冷風を排出する排気管とを備え、通気管より細径で、一端が通気管の他端付近に挿嵌されると共に他端が排気管に連通された連通管を有し、連通管の通気管に挿嵌された側の端部が封鎖されると共に、連通管の通気管に挿嵌された外周面に連通穴が穿設され、通気管の一端付近から流れ込んだ温風又は冷風が、通気管の他端付近から連通管の連通穴を介して連通管の他端から排気管に流れることを特徴とする。
【０００９】
請求項２記載の送風蓄熱システムは、連通管が、通気管の他端端部に挿嵌されていることを特徴とする。
【００１０】
請求項３記載の送風蓄熱システムは、連通管が、通気管の他端付近の外周から挿嵌されていることを特徴とする。
【００１１】
請求項４記載の送風蓄熱システムは、複数の通気管が、互いに略平行に配設されると共に、各通気管に吸気管から温風又は冷風が流れ込むことを特徴とする。
【００１２】
請求項５記載の送風蓄熱システムは、通気管が、板状蓄熱体の内部又は下方の中空部により形成されていることを特徴とする。
【発明の効果】
【００１３】
請求項１〜請求項３の発明によれば、温風又は冷風により、板状蓄熱体が効率よく均一に加熱又は冷却される。
【００１４】
請求項４の発明によれば、それぞれの通気管に吸気管から個別に温風又は冷風を送るこから、送風手段から通気管までの距離を短く抑えられ、温風又は冷風の熱エネルギーを効率よく板状蓄熱体に到達させることができる。また、複数の通気管が略平行であることから、板状蓄熱体に隙間無く均一に熱エネルギーを行き渡らせやすくなる。
【００１５】
請求項５の発明によれば、通気管が、板状蓄熱体の内部又は下方の中空部により形成されていることから、管体を配設する場合に比べコストを抑えることが可能となる。
【図面の簡単な説明】
【００１６】
【図１】本発明に係る送風蓄熱システムの構造の一例を示す説明図である。
【図２】同送風蓄熱システムの部分縦断面図である。
【図３】同送風蓄熱システムの部分横断面図である。
【図４】同送風蓄熱システムの板状蓄熱体を含む縦断面図である。
【図５】本発明に係る送風蓄熱システムの他の例を示す縦断面図である。
【図６】本発明に係る同送風蓄熱システムのさらに他の例の部分横断面図である。
【発明を実施するための形態】
【００１７】
以下、本発明の形態について図面を参照しながら具体的に説明する。図１は、本発明に係る送風蓄熱システムの構造の一例を示す説明図である。図２は、同送風蓄熱システムの部分縦断面図である。図３は、同送風蓄熱システムの部分横断面図である。図４は、同送風蓄熱システムの板状蓄熱体を含む縦断面図である。
【００１８】
図１〜図４における送風蓄熱システム１は、コンクリート製スラブやアスファルト舗装面等の板状蓄熱体６を、温風又は冷風により加熱又は冷却するものである。本実施の形態では、板状蓄熱体６を建築物の床又は天井としてのスラブとして説明するが、板状蓄熱体６は、温風又は冷風により加熱又は冷却できる面を形成するものであればよく、材質の如何に関わらず、また建築物の構造物に限らず、道路の舗装面等であってもよい。
【００１９】
本実施の形態における送風蓄熱システム１は、通気管１０、吸気管１４、連結管１６、排気管１８、連通管２０等の管体から構成されている。まず、通気管１０は、床面又は天井を構成する板状蓄熱体６の内部に、平行して複数本が配設されている。この板状蓄熱体６と通気管１０との構造は、例えばボイドスラブ工法であり、通気管１０は例えばワインディングパイプである。
【００２０】
そして、通気管１０の両端部には、通気管１０に対し略直角に吸気管１４と排気管１８とが配設されている。吸気管１４の一端側には図示しない温風又は冷風を発生させ送出する送風手段が設けられている。そして、吸気管１４の外周面から突出する連結管１６が、通気管１０の一端に挿嵌され、吸気管１４と各通気管１０とが連通している。この連結管１６は、単なる管体である。尚、送風手段は、エアコン、ファンヒータやボイラー等で、屋内に送風する物と兼ねて使用しても良い。
【００２１】
一方、通気管１０の他端は、端部蓋１２で塞がれ、その端部蓋１２に単体である連通管２０が挿嵌されている。連通管２０の通気管１０に挿嵌された側の端部は、蓋材２４で封鎖され、反対側の端部は開放された状態で排気管１８の外周面に連結されている。連通管２０は、通気管１０より細径で、連通管２０の通気管１０に挿嵌された挿嵌部２０ａの外周面に連通穴２２が穿設されている。連通管２０の連通穴２２を介して、通気管１０と排気管１８とが連通している。
【００２２】
次に、送風蓄熱システム１の動作を説明する。まず、送風手段により、温風又は冷風を吸気管１４に送り込む。そして、吸気管１４に入った温風又は冷風が、連結管１６を介して、それぞれの通気管１０に流れ込む。すると、板状蓄熱体６が通気管１０に流れ込んだ温風又は冷風により加熱又は冷却されることになる。すなわち、床面又は天井の冷暖房となる。
【００２３】
そして、通気管１０に流れ込んだ温風又は冷風は、通気管１０の他端側に流れていくことになるが、連通管２０が通気管１０に比べ細径であり、さらに連通穴２２が連通管２０の外周面に穿設されている程で小さいことから、連通管２０から排気管１８への流れが滞り、通気管１０内の圧力が高まることになる。このため、通気管１０に流れ込んだ温風又は冷風は、通気管１０をスムーズに通過することなく、通気管１０内で対流したりして、温風又は冷風の熱エネルギーが、効率よく通気管１０の周面に受け渡されることになる。すなわち、通気管１０を介して、板状蓄熱体６が効率よく均一に加熱又は冷却されることになる。尚、通気管１０内の圧が高まると、通気管１０内の温風又は冷風は、通気管１０の他端から連通管２０の連通穴２２を介して連通管２０の他端から排気管１８に流れ出ることになる。
【００２４】
従来は送風手段を絶えず稼働させ続ける必要があったのに対し、本実施の形態の送風蓄熱システム１では、板状蓄熱体６が効率よく且つ均一に加熱又は冷却されることから、送風手段を稼働し続けなくとも板状蓄熱体６の蓄熱を維持可能で、送風手段の間欠運転ができ、送風手段の省エネルギー化にもなる。
【００２５】
また、通気管１０を互いに略平行に配設することが必須ではなく、通気管１０の本数や配置する位置も、板状蓄熱体６の形状や材質等により適宜定めればよいが、それぞれの通気管１０に吸気管１４から個別に温風又は冷風を送ることで、送風手段から通気管１０までの距離を短く抑えられ、温風又は冷風の熱エネルギーを効率よく板状蓄熱体６に到達させることができ、略平行にすることで、板状蓄熱体６に隙間無く均一に熱エネルギーを行き渡らせやすくなる。
【００２６】
さらに、本実施の形態では、施工当初から床又は天井に送風蓄熱システム１を組み込む場合のみを想定しているわけではなく、既に埋設されていたワインディングパイプ等を、後から通気管１０として用いることもできる。すなわち、建物の増改築で、既に配設されている床又は天井の管体を活用して、施工コストを抑えることが可能となる。
【００２７】
上記の説明では、板状蓄熱体６の中に通気管１０が埋設された形態になっているが、それに限られるものではなく、例えば、床板材を板状蓄熱体として、その板状蓄熱体の下に、通気管１０を配設して送風蓄熱システムを設けるようにしてもよい。
【００２８】
また、上記の説明では、板状蓄熱体６を建築物の床又は天井としてのスラブとして説明したが、図５の本発明に係る送風蓄熱システムの他の例を示す縦断面図に示すように、道路面を掘り下げて、土砂やコンクリート等の基礎材９に通気管１０を埋設させ、その上にアスファルトで道路舗装面を敷設するようにしてもよい。この場合、アスファルト舗装面が板状蓄熱体８であり、上記の送風蓄熱システム１と同様に送風蓄熱システム２を構成させ、通気管１０に温風を流すことにより、効率的で且つ均一な温度の融雪手段を実現することができる。
【００２９】
尚、上記の送風蓄熱システム１では、連通管２０が通気管１０の他端に挿嵌されているが、これに限られず、例えば図６の本発明に係る同送風蓄熱システムのさらに他の例の部分横断面図に示す送風蓄熱システム３のように、連通管３０を通気管１０の他端付近の外周面１０ａから挿嵌するようにしてもよい。この場合、図６に示すように、連通管３０を略Ｌ字状に曲げて、排気管１８に連通させるようにすればよい。尚、板状蓄熱体の形状等により、通気管１０毎に端部に連通管２０を挿嵌する物と、端部付近の外周面に連通管３０を挿嵌する物と、混在させて用いることも可能である。このように、連通管２０，３０が挿嵌される通気管１０の位置は、端部付近であればよく限定されるものでもなく、連通管３０の曲がり具合も適宜定めるようにすればよい。
【００３０】
尚、通気管１０は、管体である必要はなく、板状蓄熱体６の内部又は下方の中空部により形成されていたもよい。例えば、コンクリート下地に通気管１０となるような溝を設け、その上に床材を配設するような方法が考えられ、管体を配設する場合に比べコストを抑えることが可能となる。
【００３１】
上記では、人間が居住する空間での実施例について説明したが、例えば、農業施設である温室や野菜工場等で土壌を板状蓄熱体として暖めたり、畜産施設で牛舎や豚舎等の床面を板状蓄熱体として暖めたり冷やしたりと、産業・農業等での利用も可能である。
【産業上の利用可能性】
【００３２】
以上のように、本発明によれば、温風又は冷風により、板状蓄熱体が効率よく均一に加熱又は冷却される送風蓄熱システムを提供することができる。
【符号の説明】
【００３３】
１・・・・・送風蓄熱システム
２・・・・・送風蓄熱システム
３・・・・・送風蓄熱システム
６・・・・・板状蓄熱体
８・・・・・板状蓄熱体
９・・・・・基礎材
１０・・・・通気管
１０ａ・・・外周面
１２・・・・端部蓋
１４・・・・吸気管
１６・・・・連結管
１８・・・・排気管
２０・・・・連通管
２０ａ・・・挿嵌部
２２・・・・連通穴
２４・・・・蓋材
３０・・・・連通管
３０ａ・・・挿嵌部
３２・・・・連通穴
３４・・・・蓋材
【図１】
2011237051.tif 000003
【図２】
2011237051.tif 000004
【図３】
2011237051.tif 000005
【図４】
2011237051.tif 000006
【図５】
2011237051.tif 000007
【図６】
2011237051.tif 000008